(57)【特許請求の範囲】
【請求項１】
空間断面が方形の給気風路と、前記給気風路に密接して設けられた空間断面が方形の排気風路と、前記給気風路と前記排気風路の両方を横切る回転式の略直方体の顕熱交換器ユニットと、前記給気風路と前記排気風路の両方を横切る回転式の略直方体のデシカント式除湿器ユニットと、前記給気風路と前記排気風路の両方を横切る回転式の略直方体のデシカント式加湿器ユニットとが備えられた床置型デシカント式換気扇において、
該顕熱交換器ユニット、該デシカント式除湿器ユニット及び該デシカント式加湿器ユニットを外装の一方向の面の一つの点検口より取り外し及び取り付け可能なスライド式の取り外し及び取り付け機構が備えられたことを特徴とする床置型デシカント式換気扇。
【請求項２】
前記顕熱交換器ユニット、デシカント式除湿器ユニット及びデシカント式加湿器ユニットの組合せの床置型デシカント式換気扇であって、点検口のある外装の面と同一の面より、エアーフィルターが取り外し及び取り付けが可能なことを特徴とする請求項１記載の床置型デシカント式換気扇。
【発明の詳細な説明】
【技術分野】
【０００１】
本発明は、顕熱交換器ユニットとデシカント式除湿器ユニット及び／又はデシカント式加湿器ユニットを内蔵する床置型デシカント式換気扇に関する。
【背景技術】
【０００２】
従来、具体例としては、特許文献１に記載されたものがある。従来の特許文献１に記載されているものは、熱交換器ドラムとデシカント式ドラムの組合せにより換気の際に給気と排気の間で熱交換を行わせると共に水分の授受を行わせるデシカント型空調機（以下、本件発明と用語の統一のためデシカント式換気扇と記載する。）について開示されている。
【先行技術文献】
【特許文献】
【０００３】
【特許文献１】特開平８−１４６００号公報
【発明の概要】
【発明が解決しようとする課題】
【０００４】
従来の特許文献１に示すものは概略図のみでありその具体的なデシカント式換気扇の組立て構造は不明であるが、概略図より熱交換手段や吸放湿手段は回転式で、これがデシカント式換気扇のハウジング内に設けられており、デシカント式換気扇の作動中は熱交換手段や吸放湿手段が回転しながら、換気ファンにより外気や室内空気が通過させられるため駆動部分である回転部分を含めた熱交換手段や吸放湿手段について定期的にメンテナンスを行う必要がある。
【０００５】
ところが、メンテナンスを行う場合においては、通常のデシカント式換気扇はそのハウジングに熱交換手段や吸放湿手段に個別に対応する点検口や点検口を塞ぐ蓋を設けており、個別の蓋を複数開けてメンテナンスすることは、蓋を開閉することに時間が掛かり、複数の点検口を設ける関係から一つ当たりの開口部の面積が狭いものとなるので、内部の熱交換手段や吸放湿手段を内部でメンテナンスすることは難しいものであった。また、外部に取り出すにしても、開口部が狭く、かつ簡単に取り外してメンテナンス後に簡単に取り付ける機構も備えてないので、内部の熱交換手段や吸放湿手段を取り外してメンテナンスし、メンテナンス後に取り付けるためには熟練した技術が必要となり、簡単にメンテナンスできないという問題があった。
【０００６】
また、個別に複数の点検口を塞ぐ蓋があり、これがデシカント式換気扇のハウジングの２面以上に亘って設けられている場合にはデシカント式換気扇の設置場所を選定する時に、その２面以上の面に関しては壁等によって塞がれないようにし、かつその２面以上の面に関してメンテナンスに必要な空間を確保する必要があり、さらに簡単に取り外し又は取り付けできないために確保する空間も広くする必要があるので、設置場所が限定されるという問題があった。
【０００７】
また、特許文献１には記載されてないが、デシカント式換気扇のハウジング内部に外気や室内空気に含まれる塵埃を捕集するエアーフィルターが通常設けられており前記熱交換手段や前記吸放湿手段のメンテナンス時に同時に該エアーフィルターを掃除する必要があり、前記の熱交換手段や吸放湿手段をメンテナンスする場合と同様に、該エアーフィルターをメンテナンスするための空間の確保が必要という問題があった。
【課題を解決するための手段】
【０００８】
上記の課題を解決するため、本発明では、次の技術的手段を講じている。
【００１１】
第１発明の床置型デシカント式換気扇は、空間断面が方形の給気風路と、前記給気風路に密接して設けられた空間断面が方形の排気風路と、前記給気風路と前記排気風路の両方を横切る回転式の略直方体の顕熱交換器ユニットと、前記給気風路と前記排気風路の両方を横切る回転式の略直方体のデシカント式除湿器ユニットと、前記給気風路と前記排気風路の両方を横切る回転式の略直方体のデシカント式加湿器ユニットとが備えられた床置型デシカント式換気扇において、
該顕熱交換器ユニット、該デシカント式除湿器ユニット及び該デシカント式加湿器ユニットを外装の一方向の面の一つの点検口より取り外し及び取り付け可能なスライド式の取り外し及び取り付け機構が備えられたことを特徴とする。
【００１２】
第２発明の床置型デシカント式換気扇は、請求項１記載の発明において、前記顕熱交換器ユニット、デシカント式除湿器ユニット及びデシカント式加湿器ユニットの組合せの床置型デシカント式換気扇であって、点検口のある外装の面と同一の面より、エアーフィルターが取り外し及び取り付け可能なことを特徴とする。
【発明の効果】
【００１３】
以上のような、技術的手段を有することにより、以下の効果を有する。
【００１６】
第１発明によれば、顕熱交換器ユニット、デシカント式除湿器ユニット及びデシカント式加湿器ユニットが外装の一方向の面の一つの点検口より取り外し及び取り付け可能なスライド式の取り外し及び取り付け機構を備えているので、メンテナンスのために確保する空間は該点検口の設けられた面に対応する空間だけで良いことになり、設置場所の制限が少なくなる。またスライド式の取り外し及び取り付け機構により、該顕熱交換器ユニット、該デシカント式除湿器ユニット及び該デシカント式加湿器ユニットを外部に簡単に取り出すことができるので該顕熱交換器ユニット、該デシカント式除湿器ユニット及び該デシカント式加湿器ユニット自体のメンテナンスも容易となる。さらには、該顕熱交換器ユニット、該デシカント式除湿器ユニット及び該デシカント式加湿器ユニットを取り外した後のその他の部分のメンテナンスも容易となり、該顕熱交換器ユニット、該デシカント式除湿器ユニット及び該デシカント式加湿器ユニットのメンテナンス後の取り付けも容易となりメンテナンスにおいて熟練した技術も必要でなく、これらの全体的な面においてメンテナンスに時間が掛からないものとなる。
【００１７】
第２発明によれば、第１発明を利用し、かつエアーフィルターも点検口の設けられた面と同一の面からメンテナンスができるのでメンテナンスに必要な空間も前記顕熱交換器ユニットと前記デシカント式除湿器ユニット及び前記デシカント式加湿器ユニットの取り付け又は取り外しのため必要となる空間を利用することができ、エアーフィルターだけのために設置場所を制限されることがない。
【図面の簡単な説明】
【００１８】
【図１】本発明に係る床置型デシカント式換気扇における、実施例１の全体構成の概要図である。
【図２】本発明に係る床置型デシカント式換気扇における、実施例１を説明するための斜視図である。
【図３】本発明に係る床置型デシカント式換気扇の実施例１の内部構造を説明するための斜視図である。
【図４】本発明に係る床置型デシカント式換気扇における、実施例２の全体構成の概要図である。
【図５】本発明に係る床置型デシカント式換気扇における、実施例２を説明するための斜視図である。
【図６】本発明に係る床置型デシカント式換気扇の実施例２の内部構造を説明するための斜視図である。
【図７】本発明に係る床置型デシカント式換気扇における、実施例３の全体構成の概要図である。
【図８】本発明に係る床置型デシカント式換気扇における、実施例３を説明するための斜視図である。
【図９】本発明に係る床置型デシカント式換気扇の実施例３の内部構造を説明するための斜視図である。
【発明を実施するための形態】
【００１９】
発明を実施する形態について、図面に基づいて具体的に説明する。
【実施例１】
【００２０】
(全体的な構成)
本発明の床置型デシカント式換気扇１は略直方体状であり、直方体の外装と内部に設けられた仕切り板４により二つの風路に分割されており、床置型デシカント式換気扇１の外部に接続された外気ダクト２２、給気ダクト２８、還気ダクト３２、排気ダクト３８を含めて、屋外の外気を室内に供給する第一の風路と、室内の空気を屋外へ排出する第二の風路が構成されている。この概略を示したものが図１である。
【００２１】
第一の風路は家の外壁に設けられた外気口２１と、外気口２１に接続された筒状の外気ダクト２２と、床置型デシカント式換気扇１の外装上に設けられ、外気ダクト２２が接続された外気ダクト接続口２３と、床置型デシカント式換気扇１内部に設けられた給気風路２５と、床置型デシカント式換気扇１の外装上に設けられた給気ダクト接続口２７と、給気ダクト接続口２７に接続された筒状の給気ダクト２８と、室内の壁面又は室内の天井面に設けられ、給気ダクト２８が接続された給気口２９よりなる。
床置型デシカント式換気扇１内部に設けられた給気風路２５においては、外気ダクト接続口２３の近傍には外気中の塵埃を捕集する外気エアーフィルター２４が設けられ、室内方向に向かって、デシカント式除湿器ユニット１２、顕熱交換器ユニット１１の順に設けられた後、最後に給気ダクト接続口２７の近傍には、第一の風路内の空気を移動させる手段となる給気送風機２６が設けられている。
【００２２】
第二の風路は室内の壁面又は室内の天井面に設けられた還気口３１と、還気口３１に接続された筒状の還気ダクト３２と、床置型デシカント式換気扇１の外装上に設けられ、還気ダクト３２が接続された還気ダクト接続口３３と、床置型デシカント式換気扇１内部に設けられた排気風路３５と、床置型デシカント式換気扇１の外装上に設けられた排気ダクト接続口３７と、排気ダクト接続口３７に接続された筒状の排気ダクト３８と、家の外壁に設けられ、排気ダクト３８が接続された排気口３９よりなる。
床置型デシカント式換気扇１内部に設けられた排気風路３５においては、還気ダクト接続口３３の近傍には室内の空気中の塵埃を捕集する還気エアーフィルター３４が設けられ、屋外方向に向かって、顕熱交換器ユニット１１、除湿再生器１４、デシカント式除湿器ユニット１２の順に設けられた後、最後に排気ダクト接続口３７の近傍には、第二の風路内の空気を移動させる手段となる排気送風機３６が設けられている。
【００２３】
（顕熱交換器ユニット）
本発明の床置型デシカント式換気扇１の主要機能部品について説明する。顕熱交換器ユニット１１は、扁平な略直方体で最も広い対向する二つの面が空気を通過させる面となる。空気を通過させる部分は形状が扁平な円柱状でモーターにより回転させる構造である。空気を通過させる部分の材質は、空気を通過させる際に空気中の顕熱を蓄熱する又は放出する吸熱部材となっている。空気を通過させる二つの面は中央部分で仕切り板４により二つに仕切られ、仕切られた部分の一方が給気風路２５となり、もう一方が排気風路３５となる。室内が暖房されている場合において、顕熱交換器ユニット１１の空気を通過させる部分の排気風路３５側にある吸熱部材は、排気風路３５を通過する暖められた室内の空気より吸熱することにより蓄熱する。蓄熱した吸熱部材がモーターにより回転させられて給気風路２５側の顕熱交換器ユニット１１の空気を通過させる部分となる。給気風路２５側に回った顕熱交換器ユニット１１の空気を通過させる部分は蓄熱した吸熱部材であるから、これに冷たい外気が通過させられると、通過する外気は吸熱部材より蓄熱した顕熱を奪うことになり暖められる。以上により、排気風路３５を流れる室内の空気の顕熱が、給気風路２５を通過する外気に移動させられ再び室内に戻される。これにより、暖房時においては、室内の暖房効果を損なうことなく室内を換気することができる。冷房時においては逆に、給気風路２５を流れる外気が顕熱交換器ユニット１１を通過することにより、排気風路３５を流れる冷やされた室内の空気によって、外気は顕熱を奪われ、換気時に供給される外気の温度が冷やされるので、冷房効率を損なうことなく室内を換気することができる。
【００２４】
（デシカント式除湿器ユニット）
デシカント式除湿器ユニット１２は扁平な略直方体で、最も広い対向する二つの面が空気を通過させる面となっている。空気を通過させる部分は形状が扁平な円柱状で内部に吸着素子が備えられ、モーターにより回転させる構造となっている。吸着素子は空気中の水分を吸着又は脱着する性質を有している。空気を通過させる二つの面は中央部分で二つに仕切られ、仕切られた部分の一方が給気風路２５となり、もう一方が排気風路３５となる。給気通路２５を通過する外気がデシカント式除湿器ユニット１２を通過すると吸着素子により外気中の水分が吸着され除湿機能を発揮する。空気を通過させる扁平な円柱状の部分をモーターにより回転させることで水分を吸着した吸着素子は、排気風路３５を通過する室内の空気に水分を脱着する。この際室内の空気のみでは、吸着素子からの水分の放出が不十分であるので、排気風路３５のデシカント式除湿器ユニット１２の上流側に除湿再生器１４が設けられ、排気風路３５を通過する室内の空気を加熱させることにより吸着素子からの水分の脱着をより効果的に行うものとなっている。これにより、屋外から入って来る水分を少なくし、室内の水分を含んだ空気と共に屋外に排気することにより、室内の除湿ができる。
また、除湿再生器１４は、電気発熱体を内蔵する熱交換器、ヒートポンプ式熱交換器、外部の熱源機よりの熱媒体の供給を受ける熱交換器等により通過する空気を加熱させる構成となっている。
【００２５】
図２は床置型デシカント式換気扇１の本発明に係る構成部品を取り出した状態を示す斜視図である。床置型デシカント式換気扇１は略直方体であり、天板６には外気ダクト接続口２３、給気ダクト接続口２７、還気ダクト接続口３３及び排気ダクト接続口３７が設けられている。なお、外気ダクト接続口２３には外気ダクト２２が、給気ダクト接続口２７には給気ダクト２８が、還気ダクト接続口３３には還気ダクト３２が、排気ダクト接続口３７には排気ダクト３８が接続される。正面側板７の中央部には点検口４９があり、点検口蓋５０が螺子により取り付けられている。螺子を取り外して点検口蓋５０が取り外されると、床置型デシカント式換気扇１の点検口４９より顕熱交換器ユニット１１とデシカント式除湿器ユニット１２を外部に引き出すことができる。引き出した状態が図２である。点検口４９の内部には顕熱交換器ユニット１１の取り付け状態を決める上部受け具５１、下部受け具５２と、デシカント式除湿器ユニット１２の取り付け状態を決める上部受け具５３、下部受け具５４が設けられている。この上部受け具５１、５３と下部受け具５２、５４により顕熱交換器ユニット１１とデシカント式除湿器ユニット１２は位置を確定した状態でスライド式に滑らせて、点検口４９より取り外し及び取り付けすることができる。    なお、スライド式の他の方法としては下部受け具５２、５４のみで取り付け状態が決められるならば、上部受け具５１、５３を省略する方法も可能である。また、下部受け具５２、５４の形状も顕熱交換器ユニット１１及びデシカント式除湿器ユニット１２の下部のスライド面に溝を設け、その溝に勘合する突起を点検口４９内部の下面に設けスライドさせる方法も可能である。
【００２６】
床置型デシカント式換気扇１の正面側板７の上部にはエアーフィルター４０を取り付けるためのエアーフィルター取付口４１がある。エアーフィルター４０は外気接続口２３の開口部を覆う外気エアーフィルター２４と還気接続口３３の開口部を覆う還気エアーフィルター３４より構成されている。エアーフィルター４０の外形寸法は、エアーフィルター取付口４１の内部の寸法よりやや小さいものとされており、パッキン等の気密部材により密着して取り付けられるものとなっている。エアーフィルター４０の床置型デシカント式換気扇１への取り付けはエアーフィルター４０自体に螺子孔（図示せず）を設けて取り付けられている。なお、エアーフィルター４０の取り付けは蓋を用いる方法によっても取り付けできる。
【００２７】
図３は図１で示した構成の概要を床置型デシカント式換気扇１の内部構造を説明するための斜視図である。図１で説明した部分については同じ番号を付け説明を省くが、外装部分は点線により表されており、天板６に外気ダクト接続口２３、給気ダクト接続口２７、還気ダクト接続口３３及び排気ダクト接続口３７が設けられているため、仕切り板４以外にも仕切り板４A、４Ｂ、４Ｃが設けられ、給気風路２５と排気風路３５が分離できる構造になっている。仕切り板４により、顕熱交換器ユニット１１及びデシカント式除湿器ユニット１２夫々の空気を通過させる面が２分割されている。この２分割することで、給気風路２５及び排気風路３５が形成されている。仕切り板４Ａは、顕熱交換器ユニット１１、及びデシカント式除湿ユニット１２の上面側の仕切り板である。仕切り板４Ａにより顕熱交換器ユニット１１とデシカント式除湿器ユニット１２の間の風路が形成されている。仕切り板４Ｂは仕切り板４Ａの上方に設けられていることで、給気風路２５を形成する外気ダクト接続口２３に連通する風路と、給気ダクト接続口２７に連通する風路とが分離され、排気風路３５を形成する還気ダクト接続口３３に連通する風路と排気ダクト接続口３７に連通する風路とが分離されている。仕切り板４Ｃは仕切り板４の上方に連続して繋がるように設けられていることで、上方の給気風路２５と排気風路３５が分離されている。なお、除湿再生器１４については説明の簡略のため図３においては図示していなが、図１と同じ位置関係に設けられる。尚、図３中の矢印は空気の流れを示す。
【実施例２】
【００２８】
(全体的な構成)
本発明の床置型デシカント式換気扇２は略直方体状であり、直方体の外装と内部に設けられた仕切り板４により二つの風路に分割されており、床置型デシカント式換気扇２の外部に接続された外気ダクト２２、給気ダクト２８、還気ダクト３２、排気ダクト３８を含めて、屋外の外気を室内に供給する第一の風路と、室内の空気を屋外へ排出する第二の風路が構成されている。この概略を示したものが図４である。
【００２９】
第一の風路は家の外壁に設けられた外気口２１と、外気口２１に接続された筒状の外気ダクト２２と、床置型デシカント式換気扇２の外装上に設けられ、外気ダクト２２が接続された外気ダクト接続口２３と、床置型デシカント式換気扇２内部に設けられた給気風路２５と、床置型デシカント式換気扇２の外装上に設けられた給気ダクト接続口２７と、給気ダクト接続口２７に接続された筒状の給気ダクト２８と、室内の壁面又は室内の天井面に設けられ、給気ダクト２８が接続された給気口２９よりなる。
床置型デシカント式換気扇２内部に設けられた給気風路２５においては、外気ダクト接続口２３の近傍には外気中の塵埃を捕集する外気エアーフィルター２４が設けられ、室内方向に向かって、顕熱交換器ユニット１１、加湿再生器１５、デシカント式加湿器ユニット１３の順に設けられた後、最後に給気ダクト接続口２７の近傍には、第一の風路内の空気を移動させる手段となる給気送風機２６が設けられている。
【００３０】
第二の風路は室内の壁面又は室内の天井面に設けられた還気口３１と、還気口３１に接続された筒状の還気ダクト３２と、床置型デシカント式換気扇２の外装上に設けられ、還気ダクト３２が接続された還気ダクト接続口３３と、床置型デシカント式換気扇２内部に設けられた排気風路３５と、床置型デシカント式換気扇２の外装上に設けられた排気ダクト接続口３７と、排気ダクト接続口３７に接続された筒状の排気ダクト３８と、家の外壁に設けられ、排気ダクト３８が接続された排気口３９よりなる。
床置型デシカント式換気扇２内部に設けられた排気風路３５においては、還気ダクト接続口３３の近傍には室内の空気中の塵埃を捕集する還気エアーフィルター３４が設けられ、屋外方向に向かって、デシカント式加湿器ユニット１３、顕熱交換器ユニット１１の順に設けられた後、最後に排気ダクト接続口３７の近傍には、第二の風路内の空気を移動させる手段となる排気送風機３６が設けられている。
【００３１】
（顕熱交換器ユニット）
本発明の床置型デシカント式換気扇２の主要機能部品について説明する。顕熱交換器ユニット１１は、実施例１と同様であるので説明を省略する。
【００３２】
（デシカント式加湿器ユニット）
デシカント式加湿器ユニット１３は扁平な略直方体で、最も広い対向する二つの面が空気を通過させる面となっている。空気を通過させる部分は扁平な円柱状で内部に吸着素子が備えられ、モーターにより回転させる構造となっている。吸着素子は空気中の水分を吸着又は脱着する性質を有している。空気を通過させる二つの面は中央部分で二つに仕切られ、仕切られた部分の一方が給気風路２５となり、もう一方が排気風路３５となる。給気通路２５を通過する外気がデシカント式加湿器ユニット１３を通過すると吸着素子に含まれる水分が外気に脱着され加湿機能を発揮する。空気を通過させる扁平な円柱状な部分をモーターにより回転させることで水分を脱着した吸着素子は排気風路３５を通過する室内の空気に含まれる水分を吸着する。この際外気に対する吸着素子からの水分の脱着が不十分となる場合もあるので、給気風路２５のデシカント式加湿器ユニット１３の上流側に加湿再生器１５が設けられ、給気風路２５を通過させる外気を加熱させることにより吸着素子からの水分の脱着をより効果的に行うものとなっている。これにより、室内から排気される水分を屋外の水分を含んだ外気と共に室内に給気することで、室内の加湿ができる。
また、加湿再生器１５は、電気発熱体を内蔵する熱交換器、ヒートポンプ式熱交換器、外部の熱源機よりの熱媒体の供給を受ける熱交換器等により通過する空気を加熱させる構成となっている。
【００３３】
図５は床置型デシカント式換気扇２の本発明に係る構成部品を取り出した状態を示す斜視図である。床置型デシカント式換気扇２は略直方体であり、天板６には外気ダクト接続口２３、給気ダクト接続口２７、還気ダクト接続口３３及び排気ダクト接続口３７が設けられている。なお、外気ダクト接続口２３には外気ダクト２２が、給気ダクト接続口２７には給気ダクト２８が、還気ダクト接続口３３には還気ダクト３２が、排気ダクト接続口３７には排気ダクト３８が接続される。正面側板７の中央部には点検口４９があり、点検口蓋５０が螺子により取り付けられている。螺子を取り外して点検口蓋５０が取り外されると、床置型デシカント式換気扇２の点検口４９より顕熱交換器ユニット１１とデシカント式加湿器ユニット１３を外部に引き出すことができる。引き出した状態が図５である。点検口４９の内部には顕熱交換器ユニット１１の取り付け状態を決める上部受け具５１、下部受け具５２と、デシカント式加湿器ユニット１３の取り付け状態を決める上部受け具５５、下部受け具５６が設けられている。この上部受け具５１、５５と下部受け具５２、５６により顕熱交換器ユニット１１とデシカント式加湿器ユニット１３は位置を確定した状態でスライド式に滑らせて、点検口４９より取り外し及び取り付けすることができる。    なお、スライド式の他の方法としては下部受け具５２、５６のみで取り付け状態が決められるならば、上部受け具５１、５５を省略する方法も可能である。また、下部受け具５２、５６の形状も顕熱交換器ユニット１１及びデシカント式加湿器ユニット１３の下部のスライド面に溝を設け、その溝に勘合する突起を点検口４９内部の下面に設けスライドさせる方法も可能である。
【００３４】
床置型デシカント式換気扇２の正面側板７の上部にはエアーフィルター４０を取り付けるためのエアーフィルター取付口４１がある。エアーフィルター４０は外気接続口２３の開口部を覆う外気エアーフィルター２４と還気接続口３３の開口部を覆う還気エアーフィルター３４より構成されている。エアーフィルター４０の外形寸法は、エアーフィルター取付口４１の内部の寸法よりやや小さいものとされており、パッキン等の気密部材により密着して取り付けられるものとなっている。エアーフィルター４０の床置型デシカント式換気扇２への取り付けはエアーフィルター４０自体に螺子孔（図示せず）を設けて取り付けられている。なお、エアーフィルター４０の取り付けは蓋を用いる方法によっても取り付けできる。
【００３５】
図６は図４で示した構成の概要を床置型デシカント式換気扇２の内部構造を説明するための斜視図である。図１で説明した部分については同じ番号を付け説明を省くが、天板６に外気ダクト接続口２３、給気ダクト接続口２７、還気ダクト接続口３３及び排気ダクト接続口３７が設けられているため、仕切り板４以外にも仕切り板４A、４Ｂ、４Ｃが設けられ、給気風路２５と排気風路３５が分離できる構造になっている。仕切り板４により、顕熱交換器ユニット１１及びデシカント式加湿器ユニット１３夫々の空気を通過させる面が２分割されている。この２分割することで、給気風路２５及び排気風路３５が形成されている。仕切り板４Ａは、顕熱交換器ユニット１１とデシカント式加湿器ユニット１３の上面側の仕切り板である。仕切り板４Ａにより顕熱交換器ユニット１１とデシカント式加湿器ユニット１３の間の風路が形成されている。仕切り板４Ｂは仕切り板４Ａの上方に設けられていることで、給気風路２５を形成する外気ダクト接続口２３に連通する風路と、給気ダクト接続口２７に連通する風路とが分離され、排気風路３５を形成する還気ダクト接続口３３に連通する風路と排気ダクト接続口３７に連通する風路とが分離されている。仕切り板４Ｃは仕切り板４の上方に連続して繋がるように設けられていることで、上方の給気風路２５と排気風路３５が分離されている。なお、加湿再生器１５については説明の簡略のため図６においては図示していないが、図４と同じ位置関係に設けられる。尚、図６中の矢印は空気の流れを示す。
【実施例３】
【００３６】
(全体的な構成)
本発明の床置型デシカント式換気扇３は略直方体状であり、直方体の外装と内部に設けられた仕切り板４により二つの風路に分割されており、床置型デシカント式換気扇３の外部に接続された外気ダクト２２、給気ダクト２８、還気ダクト３２、排気ダクト３８を含めて、屋外の外気を室内に供給する第一の風路と、室内の空気を屋外へ排出する第二の風路が構成されている。この概略を示したものが図7である。
【００３７】
第一の風路は家の外壁に設けられた外気口２１と、外気口２１に接続された筒状の外気ダクト２２と、床置型デシカント式換気扇３の外装上に設けられ、外気ダクト２２が接続された外気ダクト接続口２３と、床置型デシカント式換気扇３内部に設けられた給気風路２５と、床置型デシカント式換気扇３の外装上に設けられた給気ダクト接続口２７と、給気ダクト接続口２７に接続された筒状の給気ダクト２８と、室内の壁面又は室内の天井面に設けられ、給気ダクト２８が接続された給気口２９よりなる。
床置型デシカント式換気扇３内部に設けられた給気風路２５においては、外気ダクト接続口２３の近傍には外気中の塵埃を捕集する外気エアーフィルター２４が設けられ、室内方向に向かって、デシカント式除湿器ユニット１２、顕熱交換器ユニット１１、加湿再生器１５、デシカント式加湿器ユニット１３の順に設けられた後、最後に給気ダクト接続口２７の近傍には、第一の風路内の空気を移動させる手段となる給気送風機２６が設けられている。
【００３８】
第二の風路は室内の壁面又は室内の天井面に設けられた還気口３１と、還気口３１に接続された筒状の還気ダクト３２と、床置型デシカント式換気扇３の外装上に設けられ、還気ダクト３２が接続された還気ダクト接続口３３と、床置型デシカント式換気扇３内部に設けられた排気風路３５と、床置型デシカント式換気扇３の外装上に設けられた排気ダクト接続口３７と、排気ダクト接続口３７に接続された筒状の排気ダクト３８と、家の外壁に設けられ、排気ダクト３８が接続された排気口３９よりなる。
床置型デシカント式換気扇３内部に設けられた排気風路３５においては、還気ダクト接続口３３の近傍には室内の空気中の塵埃を捕集する還気エアーフィルター３４が設けられ、屋外方向に向かって、デシカント式加湿器ユニット１３、顕熱交換器ユニット１１、除湿再生器１４、デシカント式除湿器ユニット１２の順に設けられた後、最後に排気ダクト接続口３７の近傍には、第二の風路内の空気を移動させる手段となる排気送風機３６が設けられている。
【００３９】
（顕熱交換器ユニット等）
本発明の床置型デシカント式換気扇３の主要機能部品の顕熱交換器ユニット１１、デシカント式除湿器ユニット１２及びデシカント式加湿器ユニット１３については実施例１及び実施例２と同様であるので説明を省略する。
【００４０】
なお、デシカント式除湿器ユニット１２の除湿機能とデシカント式加湿器ユニット１３の加湿機能は相反する機能であるので、床置型デシカント式換気扇３の作動中においてデシカント式除湿器ユニット１２の除湿機能とデシカント式加湿器ユニット１３の加湿機能は、選択的に一方のみの機能だけ作動させる構成となっている。
また、除湿再生器１４及び加湿再生器１５は、電気発熱体を内蔵する熱交換器、ヒートポンプ式熱交換器、外部の熱源機よりの熱媒体の供給を受ける熱交換器等により通過する空気を加熱させる構成となっている。
【００４１】
図８は床置型デシカント式換気扇３の本発明に係る構成部品を取り出した状態を示す斜視図である。床置型デシカント式換気扇３は略直方体であり、天板６には外気ダクト接続口２３、給気ダクト接続口２７、還気ダクト接続口３３及び排気ダクト接続口３７が設けられている。なお、外気ダクト接続口２３には外気ダクト２２が、給気ダクト接続口２７には給気ダクト２８が、還気ダクト接続口３３には還気ダクト３２が、排気ダクト接続口３７には排気ダクト３８が接続される。正面側板７の中央部には点検口４９があり、点検口蓋５０が螺子により取り付けられている。螺子を取り外して点検口蓋５０が取り外されると、床置型デシカント式換気扇３の点検口４９より顕熱交換器ユニット１１、デシカント式除湿器ユニット１２及びデシカント式加湿器ユニット１３を外部に引き出すことができる。引き出した状態が図８である。点検口４９の内部には顕熱交換器ユニット１１の取り付け状態を決める上部受け具５１、下部受け具５２と、デシカント式除湿器ユニット１２の取り付け状態を決める上部受け具５３、下部受け具５４と、デシカント式加湿器ユニット１３の取り付け状態を決める上部受け具５５、下部受け具５６が設けられている。この上部受け具５１、５３、５５と下部受け具５２、５４、５６により顕熱交換器ユニット１１、デシカント式除湿器ユニット１２及びデシカント式加湿器ユニット１３は位置を確定した状態でスライド式に滑らせて、点検口４９より取り外し及び取り付けすることができる。なお、スライド式の他の方法としては下部受け具５２、５４、５６のみで取り付け状態が決められるならば、上部受け具５１、５３、５５を省略する方法も可能である。また、下部受け具５２、５４、５６の形状も顕熱交換器ユニット１１、デシカント式除湿器ユニット１２及びデシカント式加湿器ユニット１３の下部のスライド面に溝を設け、その溝に勘合する突起を点検口４９内部の下面に設けスライドさせる方法も可能である。
【００４２】
床置型デシカント式換気扇３の正面側板７の上部にはエアーフィルター４０を取り付けるためのエアーフィルター取付口４１がある。エアーフィルター４０は外気接続口２３の開口部を覆う外気エアーフィルター２４と還気接続口３３の開口部を覆う還気エアーフィルター３４より構成されている。エアーフィルター４０の外形寸法は、エアーフィルター取付口４１の内部の寸法よりやや小さいものとされており、パッキン等の気密部材により密着して取り付けられるものとなっている。エアーフィルター４０の床置型デシカント式換気扇３への取り付けはエアーフィルター４０自体に螺子孔（図示せず）を設けて取り付けられている。なお、エアーフィルター４０の取り付けは蓋を用いる方法によっても取り付けできる。
【００４３】
図９は図７で示した構成の概要を床置型デシカント式換気扇１の内部構造を説明するための斜視図である。図１で説明した部分については同じ番号を付け説明を省くが、天板６に外気ダクト接続口２３、給気ダクト接続口２７、還気ダクト接続口３３及び排気ダクト接続口３７が設けられているため、仕切り板４以外にも仕切り板４A、４Ｂ、４Ｃが設けられ、給気風路２５と排気風路３５が分離できる構造になっている。仕切り板４により、顕熱交換器ユニット１１、デシカント式除湿器ユニット１２及びデシカント式加湿器ユニット１３夫々の空気を通過させる面を２分割されている。この２分割することで、給気風路２５及び排気風路３５が形成されている。仕切り板４Ａは、顕熱交換器ユニット１１、デシカント式除湿器ユニット１２及びデシカント式加湿器ユニット１３の上面側の仕切り板である。仕切り板４Ａにより顕熱交換器ユニット１１とデシカント式除湿器ユニット１２の間の風路と、顕熱交換器ユニット１１とデシカント式加湿器ユニット１３の間の風路が形成されている。仕切り板４Ｂは仕切り板４Ａの上方に設けられていることで、給気風路２５を形成する外気ダクト接続口２３に連通する風路と、給気ダクト接続口２７に連通する風路とが分離され、排気風路３５を形成する還気ダクト接続口３３に連通する風路と排気ダクト接続口３７に連通する風路とが分離されている。仕切り板４Ｃは仕切り板４の上方に連続して繋がるように設けられていることで、上方の給気風路２５と排気風路３５が分離されている。なお、除湿再生器１４と加湿再生器１５については説明の簡略のため図９においては図示していなが、図７と同じ位置関係に設けられる。尚、図９中の矢印は空気の流れを示す。
【００４４】
最後に、前記の実施例１乃至実施例３全体としての効果として、顕熱交換器ユニット１１、デシカント式除湿器ユニット１２及びデシカント式加湿器ユニット１３はスライド式に取り外し及び取り付けが可能であることから、本発明の製造時においては、共通の外装や内装部材等の部品により実施例１乃至実施例３の３つのタイプの床置型デシカント式換気扇1乃至３を製造可能であり、部品の共通化が計れる。
【００４５】
さらには、実施例１又は実施例２を床置型デシカント式換気扇1又は２の設置後に、簡単にデシカント式加湿器ユニット１３又はデシカント式除湿機ユニット１２を追加することで実施例３のタイプの床置型デシカント式換気扇３に変更することも出来る。
【符号の説明】
【００４６】
１、２、３：床置型デシカント式換気扇
４、４Ａ、４Ｂ、４Ｃ：仕切り板
６：天板
７：正面側板
１１：顕熱交換器ユニット
１２：デシカント式除湿器ユニット
１３：デシカント式加湿器ユニット
１４：除湿再生器 
１５：加湿再生器 
２１：外気口
２２：外気ダクト
２３：外気ダクト接続口
２４：外気エアーフィルター
２５：給気風路
２６：給気送風機
２７：給気ダクト接続口
２８：給気ダクト
２９：給気口
３１：還気口
３２：還気ダクト
３３：還気ダクト接続口
３４：還気エアーフィルター
３５：排気風路
３６：排気送風機
３７：排気ダクト接続口
３８：排気ダクト
３９：排気口
４０：エアーフィルター
４１：エアーフィルター取付口
４９：点検口
５０：点検口蓋
５１、５３、５５：上部受け具
５２、５４、５６：下部受け具
【図１】
0005566630.tif 000002
【図２】
0005566630.tif 000003
【図３】
0005566630.tif 000004
【図４】
0005566630.tif 000005
【図５】
0005566630.tif 000006
【図６】
0005566630.tif 000007
【図７】
0005566630.tif 000008
【図８】
0005566630.tif 000009
【図９】
0005566630.tif 000010